(57)【要約】【課題】釣竿本体への尻栓の螺着とその取り外し作業を繰り返しても、キャップが外れ難い安価な尻栓を有する釣竿を提供する。【解決手段】尻栓１２を後端部に螺着させた釣竿であって、尻栓は、釣竿後端部に装着されるネジ部Ｎを設けた本体部１２Ａと、該本体部の後端部をカバーし、該本体部よりも柔軟な部材のキャップ１２Ｃとを具備し、前記本体部の外周に設けた環状凹部に対して、前記キャップの周縁部が係合しており、該本体部には別部品のリング部材１２Ｂが装着保持されて、前記環状凹部を区画形成する１つの側面に前記リング部材の端面が露出しており、該リング部材端面には凹部又は凸部であるリング部材側係合部を設けており、前記キャップの縁部には、前記リング部材側係合部と凹凸係合できるキャップ側係合部を設けるよう構成する。【選択図】図１
2009201445.tif 000002
【特許請求の範囲】
【請求項１】
尻栓を後端部に螺着させた釣竿であって、
尻栓は、釣竿後端部に装着されるネジ部を設けた本体部と、該本体部の後端部をカバーし、該本体部よりも柔軟な部材のキャップとを具備し、
前記本体部の外周に設けた環状凹部に対して、前記キャップの周縁部が係合しており、
該本体部には別部品のリング部材が装着保持されて、前記環状凹部を区画形成する１つの側面に前記リング部材の端面が露出しており、
該リング部材端面には凹部又は凸部である係合部を設けており、
前記キャップは前記リング部材よりも柔軟な部材で形成されていて、キャップの前記周縁部がリング部材端面の前記係合部に押し当てられるよう構成されている
ことを特徴とする釣竿。
【請求項２】
尻栓を後端部に螺着させた釣竿であって、
尻栓は、釣竿後端部に装着されるネジ部を設けた本体部と、該本体部の後端部をカバーし、該本体部よりも柔軟な部材のキャップとを具備し、
前記本体部の外周に設けた環状凹部に対して、前記キャップの周縁部が係合しており、
該本体部には別部品のリング部材が装着保持されて、前記環状凹部を区画形成する１つの側面に前記リング部材の端面が露出しており、
該リング部材端面には凹部又は凸部であるリング部材側係合部を設けており、前記キャップの縁部には、前記リング部材側係合部と凹凸係合できるキャップ側係合部を設けている
ことを特徴とする釣竿。
【発明の詳細な説明】
【技術分野】
【０００１】
本発明は、尻栓を有する釣竿に関する。
【背景技術】
【０００２】
通常、釣竿はその後端部に尻栓を螺合装着しているが、釣りの際に、尻栓部を掌に押し当てたり、また、腹部に押し当てたりして使用することがある。このため、頭部に柔軟性部材のキャップを設けた尻栓が使用されることがある。そうした尻栓の一例が下記特許文献に開示されている。こうした構造の尻栓では、その本体部の外周に設けた環状凹部に対して、キャップの周縁部を係合させつつ接着固定することが行われている。
【特許文献１】特開２００１−２６９０８７号公報
【発明の開示】
【発明が解決しようとする課題】
【０００３】
然しながら、釣竿本体から尻栓を取り外したり、再び装着したりする際には、指先で尻栓を摘んで捩る動作を行う。このため、キャップと本体部とが相対回転し易く、上記の接着の層が剥がれてキャップと本体部との接合が外れることがある。こうなれば、キャップが空回りして本体部と釣竿本体との螺合を外すことが容易でなくなる。
依って解決しようとする課題は、釣竿本体への尻栓の螺着とその取り外し作業を繰り返しても、キャップが外れ難い安価な尻栓を有する釣竿を提供することである。
【課題を解決するための手段】
【０００４】
上記課題に鑑みて第１の発明では、尻栓を後端部に螺着させた釣竿であって、尻栓は、釣竿後端部に装着されるネジ部を設けた本体部と、該本体部の後端部をカバーし、該本体部よりも柔軟な部材のキャップとを具備し、前記本体部の外周に設けた環状凹部に対して、前記キャップの周縁部が係合しており、該本体部には別部品のリング部材が装着保持されて、前記環状凹部を区画形成する１つの側面に前記リング部材の端面が露出しており、
該リング部材端面には凹部又は凸部である係合部を設けており、前記キャップは前記リング部材よりも柔軟な部材で形成されていて、キャップの前記周縁部がリング部材端面の前記係合部に押し当てられるよう構成されていることを特徴とする釣竿を提供する。
【０００５】
第２の発明では、尻栓を後端部に螺着させた釣竿であって、尻栓は、釣竿後端部に装着されるネジ部を設けた本体部と、該本体部の後端部をカバーし、該本体部よりも柔軟な部材のキャップとを具備し、前記本体部の外周に設けた環状凹部に対して、前記キャップの周縁部が係合しており、該本体部には別部品のリング部材が装着保持されて、前記環状凹部を区画形成する１つの側面に前記リング部材の端面が露出しており、該リング部材端面には凹部又は凸部であるリング部材側係合部を設けており、前記キャップの縁部には、前記リング部材側係合部と凹凸係合できるキャップ側係合部を設けていることを特徴とする釣竿を提供する。
【発明の効果】
【０００６】
第１の発明では、本体部の外周に環状凹部を形成するには、本体部を合成樹脂材で形成する場合であって、これを射出成形する場合は、成形後に型抜きを必要とする。本体部の中心軸線を左右方向とすれば、上下に分割した上型と下型とを、夫々上方向と下方向とに移動させれば、外周形状は形成できる。然しながら、この型移動（上下移動）の方向に対して直交する方向である左右方向に窪んだり突出した凹部又は凸部を形成することは容易にはできない。これらを形成できるのは、金型を上下２つではなく、夫々の型の抜き方向を工夫した小さな型に分割した複雑なものにする必要があり、コスト高となる。一方、本体部を合成樹脂材の他、金属材等によっても製作可能な切削加工で形成する場合も、環状凹部のみであれば容易に形成できるが、この環状凹部の側面に左右方向に窪んだり突出した凹部又は凸部を共に形成することは、複雑な加工を要し、低コストには加工できない。
そこで、本体部とは別部品のリング部材を準備し、この端面に凹部又は凸部を形成しておき、これを環状凹部を有する本体部に装着保持させることで、環状凹部と、凹部又は凸部という係合部を共に有する安価な組合体が得られる。相対的に柔軟なキャップ周縁部が、相対的に硬質なリング部材端面の係合部に押し当てられるため、釣竿本体への尻栓の螺着とその取り外し作業を繰り返しても、キャップが外れ難くなる。
【０００７】
第２の発明では、本体部の外周に環状凹部を形成するには、本体部を合成樹脂材で形成する場合であって、これを射出成形する場合は、成形後に型抜きを必要とする。本体部の中心軸線を左右方向とすれば、上下に分割した上型と下型とを、夫々上方向と下方向とに移動させれば、外周形状は形成できる。然しながら、この型移動（上下移動）の方向に対して直交する方向である左右方向に窪んだり突出した凹部又は凸部を形成することは容易にはできない。これらを形成できるのは、金型を上下２つではなく、夫々の型の抜き方向を工夫した小さな型に分割した複雑なものにする必要があり、コスト高となる。一方、本体部を合成樹脂材の他、金属材等によっても製作可能な切削加工で形成する場合も、環状凹部のみであれば容易に形成できるが、この環状凹部の側面に左右方向に窪んだり突出した凹部又は凸部を共に形成することは、複雑な加工を要し、低コストには加工できない。
そこで、本体部とは別部品のリング部材を準備し、この端面に凹部又は凸部を形成しておき、これを環状凹部を有する本体部に装着保持させることで、環状凹部と、凹部又は凸部というリング部材側係合部を共に有する安価な組合体が得られる。リング部材側係合部と凹凸係合できるキャップ側係合部を周縁部に設けているキャップを前記組合体に係合させることができるので、釣竿本体への尻栓の螺着とその取り外し作業を繰り返しても、キャップが外れ難くなる。
【発明を実施するための最良の形態】
【０００８】
以下、本発明を添付図面を用いて更に詳細に説明する。図１は本発明に係る釣竿の尻栓を含む後端部の部分断面による側面図、図２は尻栓の本体部の部分断面による側面図、図３は図２の矢視線Ｃ−Ｃによる横断面図、図４は尻栓のリング部材の端面図、図５は図４の矢視線Ｅ−Ｅによる部分断面による側面図、図６は尻栓のキャップの部分断面による側面図である。釣竿の元竿竿管（又は元竿部分）１０の後端部内面には雌ネジ部が形成されており、尻栓１２はその本体部１２Ａの前側領域外周に雄ネジ部Ｎを設けており、前記の元竿後端部内周の雌ネジ部に螺合させて着脱可能に装着されている。
【０００９】
尻栓の本体部１２Ａは、構造体としての通常硬さの合成樹脂材や金属材によって形成されており、略円筒形状を成している。また、この例の元竿竿管１０等の竿管は振出継合式に構成されており、尻栓の本体部１２Ａの先端部の円形状の凹所には、ゴム製板部材１４が配設されており、ここでは互いに接着固定されている。中竿や穂先竿を収納する際に、各竿管後端がこのゴム製板部材１４に当接することで、収納時の衝撃を緩和できる。更には、ゴム製板部材１４には貫通孔１４Ｈが設けられていて、尻栓の貫通孔１２Ｈとも相まって元竿内部と外気とを連通させている。
【００１０】
番号１６はＯリングであり、その弾力性によって尻栓１２を螺着させた際の不用意な外れを防止している。
尻栓１２は、前記本体部１２Ａと、これに装着保持されるリング部材１２Ｂと、柔軟性部材のキャップ１２Ｃとを有している。本体部の後側領域外周には環状凹部ＡＯが形成されており、この凹部は底面Ｓ２と前側側面Ｓ１と後側側面Ｓ３とで区画形成されている。この前側側面Ｓ１の外周側部分は他の部品であるリング部材１２Ｂの端面（正面）ＢＴによって形成されている。この例の側面Ｓ１，Ｓ３は本体部の中心軸線ＣＬに対して直交しているが、傾斜していてもよい。
【００１１】
リング部材１２Ｂは本体部と同様に構造体としての通常硬さの合成樹脂材や金属材によって形成でき、図５に示すようにＬ字状の断面を成している。その端面が前側側面Ｓ１の一部を成しており、外周部は本体部１２Ａの外周の一部を覆って装着されている。このリング部材の端面を成す端面壁部には１８０度反対側の２箇所に切欠凹部ＢＫが形成されている。また、端面壁部には適宜数、ここでは中心軸線ＣＬ方向に貫通した６個の貫通孔である凹部ＢＨが適宜間隔で設けられている。
【００１２】
一方、本体部の前記前側側面Ｓ１を有する側壁部には、その径方向外側に、１８０度反対側に配設された２箇所の凸部ＡＫが形成されている。前記リング部材の切欠凹部ＢＫはこの凸部ＡＫに係合する寸法関係に形成しており、リング部材１２Ｂを本体部１２Ａに対して相対回転しないように保持できる。実際の保持では接着剤も使用して互いに固定する。
【００１３】
キャップ１２Ｃは、人工や天然のゴム材、エラストマー樹脂、人工や天然のコルク材、或いは軟質樹脂等で形成され、その周縁部Ｆが、本体部１２Ａとリング部材１２Ｂとの組合体の成す環状凹部ＡＯに係合する。この周縁部の前端面ＣＳ１には、前記各凹部ＢＨに対応する位置に各凸部ＣＴが設けられている。従って、キャップを組合体に装着させる際に、これらの凸部ＣＴをリング部材１２Ｂの凹部ＢＨに凹凸係合させる。こうすることで、キャップ１２Ｃが本体部に対して相対回転することが防止される。実際のキャップ装着では、環状凹部ＡＯの底面Ｓ２と、これに対面するキャップの周縁部Ｆの環状面ＣＳ２との間に接着剤を充填して接着接合を併用する。
【００１４】
以上の構造の場合は、本体部１２Ａは、合成樹脂材の射出成形であれば、その外周形状は金型を図２における上下方向に２分割するだけで成形できる。切削加工の場合は、凸部ＡＫの加工以外は旋盤によって容易に行える。また、リング部材１２Ｂは、合成樹脂材の射出成形であれば、金型を図５における左右方向の２つに分割するだけで成形できる。切削加工の場合は、旋盤によって断面Ｌ字形状に加工した後、切欠凹部ＢＫと凹部ＢＨを端面側から加工することで可能である。更には、キャップは柔軟性部材故、図６における左右方向の２つの金型分割で成形可能である。
【００１５】
以上の構造では、釣竿本体への尻栓の螺着とその取り外し作業を繰り返しても、キャップが外れ難い尻栓を有する釣竿となり、その尻栓を容易に、即ち、安価に製造できる。
上記例では、リング部材側係合部として凹部、キャップ側係合部として凸部を設けているが、凹部と凸部を逆にしてもよい。また、リング部材１２Ｂは、本体部の環状凹部ＡＯの前側側面Ｓ１を有する側壁部外周部に装着しているが、後側側面Ｓ３を有する側壁部外周部に装着してもよい。この場合は、キャップの周縁部の後端面ＣＳ３にキャップ側係合部を形成する。キャップの環状の切り込みＣＫの存在によって周縁部Ｆは変形し易いため、この場合も寸法によっては図６における左右方向の２つの金型分割で成形可能である。
【００１６】
上記形態の他に、キャップ１２Ｃの周縁部Ｆの前端面に、キャップ側係合部としての凸部ＣＴを設けることなく、平坦な前端面ＣＳ１のままであって、この周縁部Ｆを本体部の環状凹部ＡＯに係合させた場合に、この前端面ＣＳ１が、リング部材１２Ｂの端面ＢＴに設けた凹部ＢＨに押し当てられるように、例えば、環状凹部ＡＯの後側側面Ｓ３とリング部材１２Ｂの端面ＢＴとの長手方向距離寸法（図１の左右方向距離寸法）に対して、キャップ周縁部Ｆの同方向の厚さ寸法を大きく構成する。この場合も、キャップ周縁部Ｆの一部がリング部材の凹部ＢＨ内にはまって係合できる。
【００１７】
更には、リング部材１２Ｂの端面ＢＴに係合部としての凸部を突設させた場合は、キャップ１２Ｃの周縁部Ｆが、図６に示すような凸部ＣＴや凹部を設けることなく平坦な前端面ＣＳ１を有していて、この周縁部Ｆを本体部の環状凹部ＡＯに係合させた場合に、この前端面ＣＳ１が、リング部材１２Ｂの端面ＢＴに突設させた凸部に押し当てられるよう、例えば、環状凹部ＡＯの後側側面Ｓ３とリング部材端面ＢＴの凸部先端との長手方向距離寸法に対して、キャップ周縁部Ｆの同方向の厚さ寸法を大きく構成する。この場合も、リング部材の凸部がキャップ周縁部Ｆに押し付けられて係合できる。
【産業上の利用可能性】
【００１８】
本発明は、本体部にキャップを被せた尻栓を有する釣竿に利用できる。
【図面の簡単な説明】
【００１９】
【図１】図１は本発明に係る釣竿の尻栓を含む後端部の部分断面による側面図である。
【図２】図２は尻栓の本体部の部分断面による側面図である。
【図３】図３は図２の矢視線Ｃ−Ｃによる横断面図である。
【図４】図４は尻栓のリング部材の端面図である。
【図５】図５は図４の矢視線Ｅ−Ｅによる部分断面による側面図である。
【図６】図６は尻栓のキャップの部分断面による側面図である。
【符号の説明】
【００２０】
１０              元竿竿管
１２              尻栓
１２Ａ            本体部
１２Ｂ            リング部材
１２Ｃ            キャップ
ＡＯ              環状凹部
ＢＨ              凹部（リング部材側係合部）
ＢＴ              リング部材の端面
ＣＴ              凸部（キャップ側係合部）
Ｆ                キャップの周縁部
Ｓ１，Ｓ２        環状凹部の側面
【図１】
2009201445.tif 000003
【図２】
2009201445.tif 000004
【図３】
2009201445.tif 000005
【図４】
2009201445.tif 000006
【図５】
2009201445.tif 000007
【図６】
2009201445.tif 000008